(57)【特許請求の範囲】
【請求項１】
複数のリール状に巻かれたクラフトテープを保持して当該複数のクラフトテープを水平な状態で巻き出すためのクラフトテープホルダーであって、  前記クラフトテープホルダーは、ホルダー本体と、複数のクラフトテープ分離板とからなり、前記ホルダー本体は、基台の中央部にリール支持コアを立設してなり、前記複数巻のクラフトテープが載置される構成とされ、かつ、前記複数のクラフトテープ分離板は、中央部に孔が形成された構成とされており、前記クラフトテープを前記ホルダー本体に載置した後に、前記クラフトテープ分離板の前記孔を前記基台中央部の前記リール支持コアに挿入することにより、前記クラフトテープの上に前記クラフトテープ分離板が載置されるように構成し、当該クラフトテープ分離版を複数備えることにより、複数巻のクラフトテープが保持可能となり、前記複数のクラフトテープを、前記複数のクラフトテープ分離板と共に平行に回転して水平な状態で巻き出されることを特徴とするクラフトテープホルダー。
【請求項２】
前記ホルダー本体の前記基台の底面には、滑り止め手段が形成されたことを特徴とする請求項１記載のクラフトテープホルダー。
【請求項３】
前記ホルダー本体の前記リール支持コアの内側には有底筒を備えたことを特徴とする請求項１または２記載のクラフトテープホルダー。 
【発明の詳細な説明】
【技術分野】
【０００１】
本発明は、リール状に巻かれたクラフトテープを保持するクラフトテープホルダーに関するものである。特に、リール状に巻かれたクラフトテープを保持しておき、リール状に巻かれたにクラフトテープを巻き出し易いクラフトテープホルダーに関するものである。
【背景技術】
【０００２】
前記クラフトテープはかごや雑貨などを作る材料として、狭い幅で１２本どり、広い幅で２４本どり、長さは、広く使われている３０メートル巻、大きいもので４００メートル巻が市販されている。前記クラフトテープでの作品作りは、始めに前記クラフトテープを必要な長さの本数に切り揃える工程を行う。
【先行技術文献】
【特許文献】
【０００３】
【特許文献１】特開２０１３−１５４９７６号公報
【発明の概要】
【発明が解決しようとする課題】
【０００４】
しかしながら、前記クラフトテープを巻き出すにあたりに、図８に示すように、ねじれて絡まることから作業効率も悪く時間を要した。前記クラフトテープが水平な状態で巻き出されることが必要である。
【課題を解決するための手段】
【０００５】
本発明のクラフトテープホルダーは、複数のリール状に巻かれたクラフトテープを保持して当該複数のクラフトテープを水平な状態で巻き出すためのクラフトテープホルダーであって、前記クラフトテープホルダーは、ホルダー本体と、複数のクラフトテープ分離板とからなり、前記ホルダー本体は、基台の中央部にリール支持コアを立設してなり、前記複数巻のクラフトテープが載置される構成とされ、かつ、前記複数のクラフトテープ分離板は、中央部に孔が形成された構成とされており、前記クラフトテープを前記ホルダー本体に載置した後に、前記クラフトテープ分離板の前記孔を前記基台中央部の前記リール支持コアに挿入することにより、前記クラフトテープの上に前記クラフトテープ分離板が載置されるように構成し、当該クラフトテープ分離版を複数備えることにより、複数巻のクラフトテープが保持可能となり、前記複数のクラフトテープを、前記複数のクラフトテープ分離板と共に平行に回転して水平な状態で巻き出されることを特徴とする。
【０００６】
本発明のクラフトテープホルダーでは、前記クラフトテープをホルダー本体に載置し、前記リール支持コアを孔に挿入することで前記クラフトテープの上に前記クラフトテープ分離板が載置され、前記クラフトテープは、巻き出される速度に応じて前記リール支持コアを中心に前記クラフトテープ分離板と共に平行に回転し水平な状態で巻き出される。よって、クラフトテープホルダーは、前記クラフトテープを必要な長さに切る工程において前記クラフトテープを保持し効率良い作業を可能とする。
【０００７】
本発明の前記基台と前記クラフトテープ分離板は、双方重さを必要とする。前記基台は、クラフトテープホルダーを安定させるために重いほど良く、前記クラフトテープ分離板は、前記クラフトテープがねじれて飛び出さないために最低でも３００グラム以上の重さが好ましい。
【０００８】
本発明の前記滑り止めは、テーブルなどの作業台を傷めずにクラフトテープホルダーのずれる動きを防止する。
【０００９】
本発明の有底筒は、鋏の先などを傷めずに納められる小物入れの機能を有する。
【００１０】
本発明のクラフトテープ分離板は、複数備えることで前記クラフトテープと複数巻のクラフトテープの保持を可能とする。
【発明の効果】
【００１１】
本発明に係るクラフトテープホルダーは、構造が極めて簡単であるため容易に製造することができ経済性にも優れたクラフトテープホルダーを提供できる。
【図面の簡単な説明】
【００１２】
【図１】本発明に係るホルダー本体の側面図である。
【図２】本発明に係るクラフトテープ分離板の側面図である。
【図３】本発明に係る基台底面の滑り止めの側面図である。
【図４】本発明に係るクラフトテープホルダー使用例の断面図である
【図５】本発明に係るリール支持コア及び有底筒の側面図である。
【図６】本発明に係るクラフトテープ分離板の側面図である。
【図７】本発明に係る使用技術の側面図である。
【図８】本発明に係る従来技術の側面図である。
【発明を実施するための形態】
【００１３】
図１、図７に示すように、基台１の中心部にリール支持コア２を立設してなるホルダー本体８に、クラフトテープ７が載置されリール支持コア２に孔４を挿入しクラフトテープ分離板３が載置される構成のクラフトテープホルダーである。クラフトテープ分離板３は基台１の外径と同径とすることが好ましい。孔４はリール支持コア２の外径より若干大きく形成するのが好ましい。だだし、基台１及びクラフトテープ分離板３の外形は円形に限るものではなく、多角形に形成しても良いし、両者が同一の形状でなくても良い。また、リール支持コア２と孔４の形状も、双方が円形を呈していなくとも良い。リール支持コア２は円形或いは８角形等の多角形で、孔４の形状は４角形でも良く、要するに、クラフトテープ分離板３がリール支持コア２の回りで回転自在に保持されれば良いものである。
【００１４】
図２に示すように、クラフトテープ分離板３に孔４が形成されたものである。
【００１５】
図３に示すように、基台１の底面の滑り止め５は、十字花弁状に滑り止め５を貼りクラフトテープホルダーのずれる動きを防止する。滑り止め手段５の配置形状は任意である。
【００１６】
図４に示すように、クラフトテープホルダーの使用例の断面図である。基台１底面の滑り止め５とリール支持コア２の内側に有底筒６が形成され、基台１の中央部にリール支持コア２を立設してなるホルダー本体８に、クラフトテープ７とその上にクラフトテープ分離板３が載置される。クラフトテープ分離板３を複数備えることでクラフトテープ７と複数巻のクラフトテープが保持可能となる。
【００１７】
図５に示すように、リール支持コア２の内側の有底筒６は、樹脂製で鋏などが納められる小物入れである。勿論、実施例としては樹脂製に限るものではなく、木製或いは紙製でも良い。
【００１８】
図６に示すように、クラフトテープ分離板３に孔４が形成されたものである。
【００１９】
図８に示すように、クラフトテープ７が巻き出された従来技術である。
【実施例】
【００２０】
図７に示すように、ホルダー本体８にクラフトテープ７が載置され、その上にクラフトテープ分離板３が載置されてクラフトテープ７が巻き出されたクラフトテープホルダーの使用技術である。
【符号の説明】
【００２１】
１  基台
２  リール支持コア
３  クラフトテープ分離板
４  孔
５  滑り止め
６  有底筒
７  クラフトテープ
８  ホルダー本体
【要約】
【課題】本発明は、リール状に巻かれたクラフトテープを保持し巻き出し易くするクラフトテープホルダーを提供する。
【解決手段】
クラフトテープホルダーは、基台１の中央部にリール支持コア２を立設してなりクラフトテープ７が載置されるホルダー本体８とホルダー本体８に載置されたクラフトテープ７の上に載置される中央部に孔４が形成されたクラフトテープ分離板３で構成され、基台１の底面の滑り止め５と小物が納められるリール支持コア２の内側の有底筒６を備えたことを特徴とする。クラフトテープ分離板３を複数備えることでクラフトテープ７と複数巻のクラフトテープが保持可能となる。基台１とクラフトテープ分離板３は、双方が重さを必要とし外径は同径に孔４はリール支持コア２の外径より若干大きく形成することが好ましく、形状は円形を呈してなくともクラフトテープ分離板３がリール支持コア２の回りで回転自在に保持される形状のものであれば良い。
【選択図】  図１【図１】
0005624233.tif 000002
【図２】
0005624233.tif 000003
【図３】
0005624233.tif 000004
【図４】
0005624233.tif 000005
【図５】
0005624233.tif 000006
【図６】
0005624233.tif 000007
【図７】
0005624233.tif 000008
【図８】
0005624233.tif 000009